(57)【要約】【課題】  各種のジョブ毎にイメージログの検索精度を高くすることができる画像処理装置、画像処理システム及び画像処理プログラムを提供する。【解決手段】  画像変更処理部１０が原稿画像データ、アノテーション画像データ等の変更処理の対象である画像データに対して、合成、縮小、抽出、削除等の所定の変更処理を実行すると、ログ画像生成部１２は、上記取得した画像データを含むログ画像データを生成する。なお、ログ画像データには、上記変更処理の対象であった画像データを含めてもよい。生成されたログ画像データは、画像転送部１６が記憶部１８に転送して記憶する。【選択図】      図１
2008206043.tif 000002
【特許請求の範囲】
【請求項１】
画像データに対して所定の変更処理を実行する画像変更処理手段と、
前記変更処理の対象となった画像データを含むログ画像データを生成するログ画像生成手段と、
前記ログ画像データを記憶する画像記憶手段と、
を備えることを特徴とする画像処理装置。
【請求項２】
請求項１記載の画像処理装置において、前記変更処理が複数の画像の合成であることを特徴とする画像処理装置。
【請求項３】
請求項１記載の画像処理装置において、前記変更処理が画像の縮小であることを特徴とする画像処理装置。
【請求項４】
請求項１記載の画像処理装置において、前記変更処理が画像の一部の抽出または削除であることを特徴とする画像処理装置。
【請求項５】
画像データに対して所定の変更処理を実行する画像変更処理手段と、
前記変更処理の対象となった画像データを含むログ画像データを生成するログ画像生成手段と、
前記ログ画像データを管理手段に転送する画像転送手段と、
前記転送されたログ画像データを記憶する管理手段と、
を備えることを特徴とする画像処理システム。
【請求項６】
コンピュータを、
画像データに対して所定の変更処理を実行する画像変更処理手段、
前記変更処理の対象となった画像データを含むログ画像データを生成するログ画像生成手段、
前記ログ画像データを記憶する画像記憶手段、
として機能させることを特徴とする画像処理プログラム。
【発明の詳細な説明】
【技術分野】
【０００１】
本発明は、画像処理装置、画像処理システム及び画像処理プログラムに関する。
【背景技術】
【０００２】
従来より、ＬＡＮ（ローカルエリアネットワーク）に複数のクライアントとプリンタ等の出力装置が接続され、複数の利用者が出力装置を共有可能な画像処理システムが実用化されている。このような画像処理システムでは、出力すべき画像データをクライアントで生成し、この画像データ及びその処理手続を含んで構成されるジョブを、ネットワーク上で共有される出力装置に送信して画像データを出力することができる。この場合、情報漏洩の抑止等を目的として、プリント・ジョブなどの各種ジョブの画像データとジョブログとを生成し、これらをイメージログとして文書管理サーバ等に登録し、後にクライアントから検索、閲覧する技術も提案されている（例えば、特許文献１参照）。
【０００３】
上記ジョブの種類としては、単なるプリントに限られず、アノテーション等の付加情報の合成、下地画像の合成、複数の画像を１ページに配置、画像の一部の抽出または削除を行う等があり、それぞれのジョブの実行結果の画像がイメージログとして使用される。
【特許文献１】特開２００６−１６３９０４号公報
【発明の開示】
【発明が解決しようとする課題】
【０００４】
本発明の目的は、各種のジョブ毎にイメージログの検索精度を高くすることができる画像処理装置、画像処理システム及び画像処理プログラムを提供することにある。
【課題を解決するための手段】
【０００５】
上記目的を達成するために、請求項１記載の画像処理装置の発明は、画像データに対して所定の変更処理を実行する画像変更処理手段と、前記変更処理の対象となった画像データを含むログ画像データを生成するログ画像生成手段と、前記ログ画像データを記憶する画像記憶手段と、を備えることを特徴とする。
【０００６】
請求項２記載の発明は、請求項１記載の発明において、前記変更処理が複数の画像の合成であることを特徴とする。
【０００７】
請求項３記載の発明は、請求項１記載の発明において、前記変更処理が画像の縮小であることを特徴とする。
【０００８】
請求項４記載の発明は、請求項１記載の発明において、前記変更処理が画像の一部の抽出または削除であることを特徴とする。
【０００９】
請求項５記載の画像処理システムの発明は、画像データに対して所定の変更処理を実行する画像変更処理手段と、前記変更処理の対象となった画像データを含むログ画像データを生成するログ画像生成手段と、前記ログ画像データを管理手段に転送する画像転送手段と、前記転送されたログ画像データを記憶する管理手段と、を備えることを特徴とする。
【００１０】
請求項６記載の画像処理プログラムの発明は、コンピュータを、画像データに対して所定の変更処理を実行する画像変更処理手段、前記変更処理の対象となった画像データを含むログ画像データを生成するログ画像生成手段、前記ログ画像データを記憶する画像記憶手段、として機能させることを特徴とする。
【発明の効果】
【００１１】
請求項１の発明によれば、ログ画像データに変更処理の対象となった画像データを含むので、変更処理の内容によらず、各種のジョブ毎にイメージログの検索精度を、本構成を有しない場合と比較して、より高くすることができる。
【００１２】
請求項２から請求項４の発明によれば、各種のジョブに対応してイメージログの検索精度を、本構成を有しない場合と比較して、より高くすることができる画像処理装置を提供できる。
【００１３】
請求項５の発明によれば、ログ画像データに変更処理の対象となった画像データを含むので、変更処理の内容によらず、各種のジョブ毎にイメージログの検索精度を、本構成を有しない場合と比較して、より高くすることができる画像処理システムを提供できる。
【００１４】
請求項６の発明によれば、ログ画像データに変更処理の対象となった画像データを含むので、変更処理の内容によらず、各種のジョブ毎にイメージログの検索精度を、本構成を有しない場合と比較して、より高くすることができる画像処理プログラムを提供できる。
【発明を実施するための最良の形態】
【００１５】
以下、本発明を実施するための最良の形態（以下、実施形態という）を、図面に従って説明する。
【００１６】
図１には、本発明にかかる画像処理装置の一実施形態の機能ブロック図が示される。図１において、画像処装置は、画像変更処理部１０、ログ画像生成部１２、画像データ出力部１４、画像転送部１６及び記憶部１８を含んで構成されている。
【００１７】
画像変更処理部１０は、中央処理装置（ＣＰＵ）及びＣＰＵの処理動作を制御するプログラムにより実現され、画像データに対して所定の変更処理を実行する。この変更処理としては、例えば画像データに、アノテーション、コピー牽制画像、下地画像等の他の画像データを合成する処理（複数の画像の合成）、複数の画像を縮小して１ページに配置する処理、画像データの一部を抽出または削除する処理等がある。
【００１８】
ログ画像生成部１２は、ＣＰＵ及びＣＰＵの処理動作を制御するプログラムにより実現され、画像変更処理部１０による変更処理の対象となった画像データを含むログ画像データを生成する。ここで、ログ画像データとは、ジョブの処理として画像変更処理部１０が画像データに所定の変更処理を行い、画像データ出力部１４が変更処理後の画像データを出力した際に、後に当該ジョブの実行内容を検索するための画像情報である。このログ画像データは、画像データ及びその処理手続を含んで構成されるジョブの実行記録であるジョブログとともにイメージログとして記憶部１８に記憶される。なお、ジョブログの内容には、例えばジョブの実行年月日、実行時間、印刷ジョブにおける印刷枚数、カラー・白黒の区別、用紙サイズ、紙詰まりの有無等がある。また、ログ画像データには、変更処理の対象となった画像データに限らず、変更処理後の画像データを含めてもよい。
【００１９】
画像データ出力部１４は、ＣＰＵ及びＣＰＵの処理動作を制御するプログラム並びに出力インターフェースにより実現され、ジョブに基づいて画像変更処理部１０が変更処理した画像データを出力する。出力先は特に限定されないが、例えばネットワーク等の通信手段を介して接続された印刷装置、ファクシミリ装置等がある。また、ログ画像生成部１２が生成したログ画像を出力する構成としてもよい。
【００２０】
画像転送部１６は、ＣＰＵ及びＣＰＵの処理動作を制御するプログラムにより実現され、ログ画像生成部１２が生成したログ画像データを受け取って記憶部１８に転送する。なお、記憶部１８がログ画像生成部１２とは別の装置（管理サーバ等）に設けられている場合には、通信インターフェースによりネットワーク等の通信手段を介して管理サーバにログ画像データを転送する。
【００２１】
記憶部１８は、ＣＰＵの作業メモリとして使用されるランダムアクセスメモリ（ＲＡＭ）、読み出し専用メモリ（ＲＯＭ）またはハードディスク装置等の磁気記憶装置その他のコンピュータが読み取り可能な記憶装置で実現され、上記ＣＰＵの処理動作を制御するプログラム、ログ画像データ等を記憶する。
【００２２】
なお、上記図１に示された画像処理装置の一部の構成を専用のハードウェア（例えばＡＳＩＣ等）で構成してもよい。また、各構成は複数の装置に分散配置され、互いに通信手段で接続されている形態でもよい。また、画像処理装置が複数互いに通信手段によって接続されていて互いに協調動作する構成としてもよい。さらに、複写機、ファックス、スキャナ、印刷装置、複合機（多機能複写機とも呼ばれ、スキャナ、印刷装置、複写機、ファックス等の機能を有している）などに組み込まれていてもよい。
【００２３】
図２には、本実施形態にかかる画像処理システムの構成例が示される。図２において、画像処理システムは、クライアントコンピュータ１００、複合機２００、管理サーバ３００及び通信手段４００を含んで構成されている。ここで、図１に示された各構成要素は、クライアントコンピュータ１００、複合機２００及び管理サーバ３００のいずれに設けてもよい。例えば、クライアントコンピュータ１００で画像データを生成し、ＰＤＬ（ページ記述言語）等によりジョブとして複合機２００に送信し、複合機２００には、画像変更処理部１０、ログ画像生成部１２、画像データ出力部１４及び画像転送部１６を設け、管理サーバ３００には記憶部１８を設ける構成とする。
【００２４】
このような構成により、クライアントコンピュータ１００で生成したジョブを通信手段４００を介して受け取った複合機２００が、当該ジョブを実行し、画像データに対して変更処理を行う。例えば、クライアントコンピュータ１００から画像データとこれに合成するためのアノテーション画像データ、コピー牽制画像データ、下地画像データ等の他の画像データを送信し、複合機２００の画像変更処理部１０でこれらの画像データを合成する。合成後の画像データは、ジョブが指示する処理手続に従って画像データ出力部１４が複合機２００に設けられた印刷装置等に出力する。また、ログ画像生成部１２は、合成された画像データに基づきログ画像データを生成する。これに加えて、合成の対象となった、すなわち変更処理を行う前の画像データに基づき生成した画像も含めてログ画像データとし、このログ画像データを画像転送部１６が管理サーバ３００に送信する。管理サーバ３００では、受け取ったログ画像データを記憶部１８に記憶する。なお、画像データを複合機２００がコピー等により取得し、予め保持していた他の画像データと合成し、印刷出力する場合にも、複合機２００により上記同様にログ画像データを生成して、管理サーバ３００に送信することができる。
【００２５】
また、上記構成のうち、画像変更処理部１０及びログ画像生成部１２とをクライアントコンピュータ１００に設け、画像データ出力部１４及び画像転送部１６を複合機２００に設けてもよい。この構成によれば、クライアントコンピュータ１００で画像データに変更処理を行い、ログ画像データを生成して複合機２００に送信し、複合機２００で変更処理後の画像データを印刷出力した上で、画像転送部１６がログ画像データを管理サーバ３００に送信することができる。管理サーバ３００では、受け取ったログ画像データを記憶部１８に記憶する。
【００２６】
なお、上記管理サーバ３００では、クライアントコンピュータ１００等からの検索要求を受け付け、格納しているログ画像データの検索を実行する。この検索には、例えば光学式文字読取処理による検索、類似画像検索等を使用するのが好適である。
【００２７】
また、以上に述べた構成では、管理サーバ３００を独立したコンピュータ上で動作させているが、例えば複合機２００に管理サーバの機能を持たせてもよい。
【００２８】
図３（ａ），（ｂ），（ｃ）には、上記ログ画像データの生成処理の例が示される。図３（ａ）は、画像変更処理部１０による画像データの変更処理の例である。図３（ａ）において、原稿画像データＡ及びこれに合成されるアノテーション画像データＢが変更処理の対象となる画像データであり、これらが画像変更処理部１０により合成されて合成画像データＣが生成されている。
【００２９】
図３（ｂ）には、上記画像変更処理部１０による画像データの変更処理の後、ログ画像生成部１２が生成したログ画像データの例が示される。図３（ｂ）において、ログ画像データは、変更処理の対象となった原稿画像データＡ及びアノテーション画像データＢに基づき、指定された解像度に解像度変換された画像を使用する。これらの原稿画像データＡ及びアノテーション画像データＢは、別々のファイルに格納してもよいし、１つのファイルに格納してもよい。
【００３０】
図３（ｃ）には、上記画像変更処理部１０による画像データの変更処理の後、ログ画像生成部１２が生成したログ画像データの他の例が示される。図３（ｃ）において、ログ画像データには、原稿画像データＡ及びアノテーション画像データＢに加えて合成画像データＣも含まれている。この場合にも、原稿画像データＡ、アノテーション画像データＢ及び合成画像データＣに基づき、指定された解像度に解像度変換された画像を使用する。
【００３１】
なお、アノテーション画像データＢの代わりに、コピー牽制画像データあるいは下地画像データ等を合成する場合も、上記同様の処理によりログ画像データを生成することができる。また、原稿画像データＡに合成されるアノテーション画像データＢ等の画像データは１つに限られず、複数であってもよい。
【００３２】
図４（ａ），（ｂ），（ｃ）には、上記ログ画像データの生成処理の他の例が示される。図４（ａ）は、画像変更処理部１０による画像データの変更処理の例である。図４（ａ）において、２つの原稿画像データα，βが変更処理の対象となる画像データであり、これらが画像変更処理部１０により指定された出力サイズに基づき必要に応じて縮小され、１つの画像データγにまとめられる。この場合、画像データγの解像度は、２００ｄｐｉが初期値として設定されているものとする。なお、変更処理の対象となる画像データの数は２つに限らず、３以上の数であってもよい。このような変更処理は、複数の画像データを１ページにまとめて印刷する場合等に行われる。
【００３３】
図４（ｂ）には、上記画像変更処理部１０による画像データの変更処理の後、ログ画像生成部１２が生成したログ画像データの例が示される。図４（ｂ）において、ログ画像データは、変更処理の対象となった２つの原稿画像データα，βに基づき、指定された解像度に解像度変換された画像を使用する。これらの原稿画像データα，βに基づくログ画像データは、別々のファイルに格納してもよいし、１つのファイルに格納してもよい。本例では、原稿画像データα，βの解像度を、初期設定の値（２００ｄｐｉ）に変換してログ画像データとしている。
【００３４】
図４（ｃ）には、ログ画像データの他の例が示されており、解像度を除いて図４（ｂ）と同じとなっている。図４（ｃ）のログ画像データの解像度は、１００ｄｐｉとなっており、初期設定値より１段階低い解像度となっている。これにより、記憶部１８に記憶する場合の記憶容量を節約することができる。
【００３５】
なお、画像データの変更処理が、画像の一部を抽出または削除し、部分的に印刷出力する等の場合にも、上記図３（ａ），（ｂ），（ｃ）または図４（ａ），（ｂ），（ｃ）と同様にしてログ画像データを生成することができる。
【００３６】
図５には、本実施形態にかかる画像処理システムの動作例のフローが示される。図５において、画像変更処理部１０が原稿画像データ、アノテーション画像データ等の変更処理の対象である画像データに対して、合成、縮小、抽出、削除等の所定の変更処理を実行し、この変更処理した画像データを画像データ出力部１４から出力する場合に、ログ画像生成部１２は、ログ画像データに変更処理対象の画像データを含めるか否かを判断する（Ｓ１）。この判断は、例えば予め利用者が画像データを含めるか否かについて指示した指示情報に基づいて行う構成とすることができる。
【００３７】
Ｓ１において、ログ画像データに変更処理対象の画像データを含めると判断した場合には、画像変更処理部１０が変更処理する対象の画像データを取得する（Ｓ２）。一方、ログ画像データに変更処理対象の画像データを含めないと判断した場合には、Ｓ２のステップは実行しない。
【００３８】
画像変更処理部１０が上記画像データ変更処理を行う（Ｓ３）と、ログ画像生成部１２は上記変更処理後の画像データを取得する（Ｓ４）。そして、ログ画像生成部１２は、上記Ｓ２及びＳ４で取得した画像データからログ画像データを生成する（Ｓ５）。
【００３９】
生成されたログ画像データは、画像転送部１６が通信手段４００を介して管理サーバ３００に転送し（Ｓ６）、管理サーバ３００の記憶部１８に記憶する（Ｓ７）。
【００４０】
上述した図５の各ステップを実行するためのプログラムは、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
【００４１】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
【００４２】
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
【００４３】
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
【００４４】
さらに、上記のプログラムは、他のプログラムの一部分であってもよく、あるいは別個のプログラムと共に記録媒体に記録されていてもよい。また、複数の記録媒体に分割して
記録されていてもよい。
【図面の簡単な説明】
【００４５】
【図１】本発明にかかる画像処理装置の一実施形態の機能ブロック図である。
【図２】本発明にかかる画像処理システムの構成例を示す図である。
【図３】ログ画像データの生成処理の例を示す図である。
【図４】ログ画像データの生成処理の他の例を示す図である。
【図５】本発明にかかる画像処理システムの動作例のフロー図である。
【符号の説明】
【００４６】
１０  画像変更処理部、１２  ログ画像生成部、１４  画像データ出力部、１６  画像転送部、１８  記憶部、１００  クライアントコンピュータ、２００  複合機、３００  管理サーバ、４００  通信手段。
【図１】
2008206043.tif 000003
【図２】
2008206043.tif 000004
【図３】
2008206043.tif 000005
【図４】
2008206043.tif 000006
【図５】
2008206043.tif 000007